(57)【要約】【課題】  今までの油水分離装置は、台所等に設置される様な小型の油水分離器は見かけない。又、分離された油の処理並びに槽内の掃除が大変で、専門家に依頼して処理を行うか、油水分離用チップ等を投入して定期的に交換処理を行うなど、油水分離器を取付けた後も費用が掛かる。【解決手段】  油分を含んだ排水から、小型で軽量の油水分離器を台所シンクなど既存の排水台の下部に設置し、排水ホースの途中に取付けることで、台所シンクから流しだされた排水の油分及び洗剤泡を分離、除去し、一般排水として放流することが出来る。又、油水分離器内の油は、油溜りに集められ、比重の差によって、水を流す事により、油溜り内の油は押し上げられ油排出口を通って自動的に排出される。又、油水分離器は簡単に取外し、掃除が出来る。尚、油水分離器には市販の脱臭剤、消臭器等が取付け可能な様に排水出口管頂上部に脱臭剤取付け器を設置した。【選択図】  図１
2007307546.tif 000002
【特許請求の範囲】
【請求項１】
飲食店並びに家庭用台所シンクの下に納められる程の、小型で軽量にした油水分離器を排水ホースの途中に取付け、台所シンクから流しだされた排水の油分及び洗剤泡を分離、除去させて一般排水として放流させる。又、分離、除去された、油分、洗剤泡は比重差によって、油水分離器内の油溜りに集められ、水を流す事により油溜りの中の油分は押し上げられ油排出口を通って自動的に排出される構造の油水分離器。尚、油水分離器の取外し、取付け及び分解掃除等が簡易にできる構造にした油水分離器で、以下細部の構造について請求を行う。
【請求項２】
油水分離器本体容器の構造を、同じ形状のものを上下に組み、上部本体１、下部本体２として、胴部分をクランプ式のバンド３で固定する。なおかつ、上部本体１、下部本体２の各々に必要な部品を取付ける構造とした。材質は耐食性のある、ステンレス又は、プラスチック類などを考えているが、いずれにしても同一の成型機で行える事により、安価で量産出来る様にした。パッキン５は台形を横にしたリング状の特殊な形状をしたパッキンで、加工が楽で、取付け部に納まりやすいゴム類を使用した構造の本体をした、請求項１記載の油水分離器。
【請求項３】
油水分離器の槽内を二分する仕切り板６であるが、下部本体２に取付ける。上部を切欠き、排水の通路とするが、下部も排水中の残渣及び沈殿物の除去の為、排水抜出し口１３より排水が同時に出来る様に少し切欠き、二つに分かれた槽の両方から残渣及び沈殿物の排出を助けるが、その為、排水に含まれた油分が流水の速さによって、縦方向の流れを作り出し、小さな泡状になって切欠き部を通過し、排水出口管を通って排出される。その泡状になった油分の通過を防止する為、傘状に斜め板７を取付け、進入防止を行う。又、両サイドからの油玉の漏れ防止と分解時の怪我防止のため、両サイド及び先端部分にゴム類のパッキン２２の取付けを行った仕切り板６を持つ、請求項１記載の油水分離器。
【請求項４】
油水分離器の排水入口管８であるが上部本体１に取付け、ホースとノズルの接続はサニタリー用の配管へルールを使用する。油水分離器が小型で容積が無い為、流入した油分を含んだ排水が直接油水分離器の底に到達して、仕切り板の下部切欠きを通過して油分を排出させてしまうので、水の流れが本体上面及び壁面の方向に向かって流れる様に、一部分を水量調整二重管２３の構造にして、内側の管に排水の流量調節できる様に水量調整絞り穴５ｍｍを１０〜１５個あけ先端部に先端閉止ゴムキャップ２４取り付けた。又、ジャマ板９を傾斜（傾斜角度１０°〜４５°位）させて取付けた。但し排水中の残渣物が引っかかって詰まる原因にならない様配慮している。尚、油水分離器槽内は常に満水状態なので、台所シンクから水を流した時、台所シンクと油水分離器とをつなぐ排水管（排水ホース）に空気溜りが出来て、排水の流れを悪くするので、排水入口管８上部にエアー抜出し口１６を設けた。エアー抜出し口１６の先端はホース等で台所シンクに戻す事が適当と思われる。洗剤を使いすぎて、大量の泡を発生させた時、洗剤泡はシンクに戻るので、周囲を汚さなくてすむ様にした排水入口管８を持つ、請求項１記載の油水分離器。
【請求項５】
油水分離器の排水出口管１０であるが上部本体１に取付け、排水入口管８同様の接続方法とする。吸引口は油水分離器の底面近くまで下げ、開口部も底面に沿った形にした。これは、水の流れによって出来た小さな泡状になった油玉を少しでも吸引させなくする為の処置である。又、出口部についてはチーズ状にして、サイホン状態になるのを防ぐと同時に、既存の脱臭剤及び消臭器の取付け器１８が設置できる形にした、排水出口管１０を持つ、請求項１記載の油水分離器。
【請求項６】
油水分離器の油溜り１１は上部本体１の最上部に取付け、その上に油排出口１２を設ける。油溜り１１はこの油水分離器の生命的な部分で排水中の分離された油分や、洗剤泡をこの部分に溜める。油排出口１２を本体に直接取付けると、多少は油分を除去出来たとしても油分を回収するまでには至らない。又、油排出口１２を長くした場合、油の粘性により、長期に渡り滞留すると、膜を張ってしまい、閉塞状態とした場合、油の回収が出来なくなる。その後の油回収が出来なくなり、気が付くまでは油分も排水出口管１０より出てしまう。いずれにしても、定期的に油排出口１２の確認、掃除は必要である。油の回収を配管接続にすると、油よる閉塞状態の確認がより困難になる。そこで油排出口１２は排水出口管１０の排水最高水位より数ミリ（１０ミリ以下）上を上限にして配管の先端は開放して、油の回収は油回収流し台１３で行う。油回収流し台１３は、取付け用差込み部と油排出口１２の外径との間にゴム類のパッキン１９でシールを行い、着脱可能にして、常に洗浄できる形にしておけば、油回収流し台１３の先に取り付けた、回収した油を入れるペットボトルの取替えの時などに簡単に掃除が行える。尚、油排出口１２及び油回収流し台１３等をオープン状態にしておくと、油を好む害虫等が寄って来るのでビニールシートを袋状にした、ビニールカバー２０を被いかぶせを取り付ける構造にした、取付け部品を備えた請求項１記載の油水分離器。
【請求項７】
油水分離器の油溜り１１へ油の集合を助けるため、油水分離器の上部本体１から、補助仕切り板１６を取付け水の流れを抑制すると同時に、排水を滞留させる事により排水内の油分の分離を促進させる。又、先端部分をアール状に曲げ、補助仕切り板１４にそって流れた排水を、再度浮き上がらせる様にした。流速に押し流されて補助仕切り板１４を通過した細かな泡状の油分も、水の流れが止まったとき、油溜り１１へ回収できる様に、最上部に小さな切欠きを設けた。又、補助仕切り板１４にも両サイドの油玉の漏れ及び分解時の怪我防止用に、仕切り板６と同様のゴム類のパッキン２２を取り付けた構造にした、補助仕切り板１６を持つ、請求項１記載の油水分離器。
【請求項８】
油水分離器から排出された油分及び洗剤泡の回収用ペットボトルの転倒防止金具２１は、回収用に配置されたペットボトルが空の状態や、少量の時には軽く転倒しやすいため、転倒防止用にあらゆる形状のペットボトルに適合する様に製作し、油水分離器本体側面に脱着出来る様に、ボルト締めによる取付けを行った転倒防止金具２１を備えた、請求項１記載の油水分離器。
【請求項９】
油水分離器の排水出口管に取付けた脱臭剤取付け器１８は、排水出口配管９チーズの頂上部に差し込み式の着脱可能で、且つ、排水出口配管１０の通気を確保した上面が皿型の形状をした取付け器１８を設置する。その上に、既存の脱臭剤及び消臭器を両面テープにて取付けを行い、脱臭剤及び消臭器の取替えを簡単に行えるようにした構造の、脱臭剤取付け器１８を備えた、請求項１記載の油水分離器。
【請求項１０】
油水分離器の上部本体１に取付けられている補助仕切り板１４の側面、及び下部本体２に取付けられている仕切り板６の側面を始め、下部本体２の排水出口管１０側の槽に、排水出口管１０を閉塞させるような支障が出ない程度の木炭及び竹炭３２などの活性炭類を、接着剤等によって取付け、排水の脱臭及び浄化を行う構造にした、請求項１記載の油水分離器。
【請求項１１】
油水分離器の上部本体１に取付けている油溜り１１外部表面に、市販されている帯状の電熱ヒーター３３等の取付けを行い、油溜り１１を中心に加温する事により、分離された油分の固形化並びに固着防止を行い、油排出口１２より油分の排出を助ける構造にした、請求項１記載の油水分離器。    
【請求項１２】
油水分離器本体の外部表面全体に、発砲スチロール及びウレタン材、グラスウールなどの保温材を取付け、その保温材の表面を塩化ビニール樹脂系の水分を弾く皮膜で覆った保温３４の取付けを行う事により、油水分離器内部の排水の凍結防止及び分離された油分の固形化並びに固着化防止を行い、油排出口１２より油分の排出を助ける構造にした、請求項１記載の油水分離器。
【請求項１３】
油水分離器の上部本体に取付けられている排水入口管８のゴミ詰まりの際に、油水分離器本体を動かさず、排水入口管８の取外しを行う時、漏水させなくするため、排水抜取りノズル３５（８Ａ〜１０Ａ）を、上部本体の排水出口管１０に近い側面に取付けを行い、２００ｍｌ〜３００ｍｌ程排水を抜く事により、簡単に排水入口管８を取外せる構造にした、請求項１記載の油水分離器。
【請求項１４】
油水分離器の排水入口管８の水量調整用に開けられている、水量調整絞り孔の孔径及び孔数を、多目的に油水分離器が使用出来る様にする為に、図９（ロ）に示す様に孔径及び孔数を３〜１０ｍｍ及び２〜３０個に変更し、図１０（イ）(ロ)に示すのは水量調整二重管２３と同二重管の底面にあるジャマ板９とを一体型にした、Ｕ字型水量調整二重管４２で水量調整の精度を上げると共に、脱着型にして分解掃除の時などには、取外し及び復旧が簡単にできる構造にした。又、同様に図１０（イ）の多目的に油水分離器が使用できる様にする為に、排水入口管８及び排水出口管１０の接続部分を、サニタリー用配管へルールによるホース接続としていたが併用して、直接一般配管とも接続出来る様にする為、接続方法を従来からある一般管用のパイプニップルにユニオン又は、ネジソケット等による取付けの接続方法を用い、用途に応じて接続方法を変える事の出来る構造にした、請求項１記載の油水分離器。
【発明の詳細な説明】
【技術分野】
【０００１】
本発明は、飲食店並びに家庭において台所シンクから流し出される油分及び洗剤泡を含んだ排水を簡易に分離処理、排出する油水分離器についての発明。
【背景技術】
【０００２】
排水の排出はともかく、油分の処理に関しては、専門家に依頼して処理をするか、油分を吸着剤で吸収させ取り替えるなど、油分を動力にて汲み上げ処理しようとする方法が一般的である。
【発明の開示】
【発明が解決しようとする課題】
【０００３】
この従来の油水分離装置では、取付けた後もコストが掛かる。専門家に依頼すれば、処理費のほか処分費も必要になる。又、油吸着剤は取替時期を間違えると油の流出をまねき、後の処理に影響する。動力を使用する場合もコスト高を招くのみである。
【０００４】
そこで、本発明の目的は、台所シンクの下に置ける小型で軽量、分解、組立の簡単な油水分離器にし、油分並びに洗剤泡を、比重の差を利用して、排水する事により自動的に油分を分離、回収し、油をリサイクル出来る装置を提供する。又、排水から油分及び洗剤泡を取り除く事により、一般排水として放流できる様にして、水の浄化と環境に役立てたい。
【課題を解決するための手段】
【０００５】
現在、多くの場合、台所シンクの排水は、ホース等で直接排水管に接続し、排水管を通して下水に流されている。そこで、そのホースの途中に小型の油水分離器を設置し、油分を含んだ排水の油分を分離させる。
【０００６】
小型にする事は、容積を小さくする事であり、台所シンクから流れる油分を含んだ排水の流れを止めることなく、又、遅滞無く速やかに水と油を分離させ排出する必要がある。しかし、水と油を分離させるには、一定の時間と充分な容積が必要である。そこで、容積が小さくても油分の分離を大きく助け、内部構造が出来る限り簡単な装置の工夫を試みた。又、台所シンクから出たゴミ類の大きなゴミは籠等で取り除けるが、籠を通り抜ける残渣物及び沈殿物（穀類の澱粉、味噌汁の味噌）等は確実に排出できるとは限らないので、適時内部の掃除が必要である。そこで、簡単に取り外し、取り付けができ、分解、組立て、掃除が大人、子供、男女を問わず誰にでも出来ることが大切である。専門家に掃除及び処理を依頼する必要のない装置にする事でコストの削減が図れる。  
【０００７】
以下、本発明の実施の形態を図１〜図５をもとに説明を行う。
【０００８】
油水分離器とホースの接続であるが、図１の様に、排水入口管８、排水出口間１０の取り付けをサニタリー用の配管へルールとクランプ２６を使用している。これは、配管のサイズからも適しており、かつ、今後は一般的に用いられる部品との意識から市販品を使用している。実際、設計製作を行うより安価になると考えられる。又、取り扱いも簡単で、片手でクランプのネジを緩めるだけで、簡単に脱着出来る。
【０００９】
図２の様に油水分離器の容器本体を、分解、掃除をしやすくする為に、上下に同じ形状をした容器を組み、上部本体１、下部本体２として、胴部分をクランプ式のバンド３で固定した。又、各々必要な部品を上部本体１、下部本体２に取付け、容積の少なさを各部品に取付けた補助部品によって、油分を分離させた。
【００１０】
排水は油水分離器の排水入口管８より進入し、槽内を、油分を含んだ排水と、油分を取り除いた一般排水との二つの槽に分ける仕切り板６を通って排水出口管１０より排出する。一方、分離された油分及び洗剤泡は油溜り１１に集められ、油排出口１２を出て油回収流し台１３を流れて不用品のペットボトルに回収する。但し、各部品には補助部品が取り付けられており、油分の分離を助けるか、もしくは通過を防ぐ役目を持っている。そこで、補助部品の目的を説明していく。
【００１１】
図３に示す仕切り板６の傘状に取付けた斜め板７は、仕切り板６の上部を排水の通路として切欠き、下部は台所シンクから流れ出た排水の残渣物及び沈殿物の排出を排水抜出し口１５より行うとき、二つに分かれた槽から同時に排出できる様に切欠いている。しかし、排水の流れが分離槽の中では縦方向の流れとなり、流速によって油分が細かな泡状になって、下部の切欠きを通過してしまい、排水出口管１０を通って排出してしまう。傘状に取付けた斜め板７は、その細かな泡状になった油分の進入防止を行う。
【００１２】
排水入口管８に付けられたジャマ板９図１は、進入して来た排水を直接、底面に到達させず、槽の壁面から上部に向けて水の流れを作り出し、油分を上昇させる事と、流れの鈍化を目的とした。又、エアー抜出し口１６は、油水分離器の槽内が常に満水の状態で、台所シンクから流し排水が、排水ホースの間で空気溜りができ、排水の流れを悪くするので取り付けた。エアー抜出し口１６の先は、台所シンクに戻す事が適当と思われる。
【００１３】
図３の補助仕切り板１４取付け図は、油溜りの脇から下ろされた補助仕切り板１４が、排水の流れを抑制し、排水中の油分の分離を促進させて油溜り１１に油及び洗剤泡が集合できる様に施した。又、最上部に小さな切欠きを設け、流速に押し流されて補助仕切り板１４を通過した小さな泡状の油分も、水の流れが止まったときに油溜り１１で回収できる様にした。
【００１４】
排水出口管１０図１は、流速によって細かな泡状にされた油分を吸い込まないようにする為、底面近くまで下げて吸引させた。又、サイホン状態を避けるためにチーズにした頂上部に市販品の脱臭剤及び消臭器を取り付けができる様、図５の脱臭剤取付け器１８を設置した。これは、排水臭気及び回収する油分、洗剤泡等周辺の臭いを取り去り、気分をよくするために取付けた。又、排水出口管の通気９を確保しながら、脱臭剤及び消臭器が簡単に取替えできる様に脱着式にした。
【００１５】
図４の油溜り１１上から出した油排出口１２並びに油回収流し台１３は、排出した油及び洗剤泡の粕がこびり付き易い。常に清潔を保つために、掃除を行う必要があり、簡単に取り外せて掃除が出来る必要があるので。油回収流し台１３を油排出口１２に差し込む形とした。シール方法として図４の”Ａ”部詳細の要領で油回収流し台１３の差込み部分の径と、油排出口の外径との間にゴム類のパッキン１９でシールし、パッキンの内径を少し小さくする事で固定させる。
【００１６】
同じく図４の油排出口１２及び油回収流し台１３は、前述のように汚れ易いため、オープン状態にしておくと、汚れや、油を好む害虫等が寄ってくるので、ビニールシートを袋状にしたビニールカバー２０を被いかぶせる。
【００１７】
油を回収するために使用する不用品のペットボトルの取り扱いは、空の状態や、少量の液が入った状態では転倒しやすく、せっかく回収した油分及び洗剤泡を、ペットボトルの転倒により周囲を汚さないために、図４の様に転倒防止金具２１を取り付けた。多種多様あらゆる形状のペットボトルに適合できる様に１．５〜２リットル及び０．７〜１リットル程度の二種類位を対象として、全体に適合しえる程度の余裕のある物にして取付けた。
【００１８】
油水分離器本体を支える脚１７は、通常台所シンク周りには段差等はないが、多少の傾斜等に対応できる様に、ネジ式で脚長を調整できる様にして、出来るだけ油水分離器が水平を保てる様にした。
【００１９】
油水分離器を分解掃除しようとするとき、仕切り板６と補助仕切り板１４が各本体1、２部分より突き出ているため、手を切る等の怪我が予想される事と、油水分離器の使用中の両サイドからの小さな油玉の流出防止のために、ゴムパッキン２２を取り付けた。
【００２０】
図５の排水入口管８先端部に取り付けた、排水量調整二重管２３と先端閉止ゴムキャップ２４及び内側の管に開けた水量調整用絞り穴５ｍｍを１０個〜１５個は、一定の排水量を確保した上で、一度に大量の排水を流された時、油水分離が出来なくなるのを避けるために、排水の流速を鈍化させ、適正な流れを保ちつつ、油分の分離が行える様に取り付けた。
【００２１】
図６（イ）（ロ）（ハ）（ニ）の排水入口管８及び排水出口管１０に取付けたフランジ２７及び図６（ホ）のパッキン２８は上部本体１にビス２９止め出来る様にしてある。これは台所シンク下の棚に配置するため、狭い場所で排水入口管８と排水出口管１０の向きが固定されていた場合、取付けに支障をきたすおそれが出来るので、排水入口管８、排水出口管１０の接続口の向きを、角度を変えることにより、狭いスペースを有効に使える様にした。
【００２２】
図７（イ）は排水入口管８の先端部に取付けていた排水流量調整二重管２３及びジャマ板９を上部本体１に取付ける事により、排水入口管８はビス２９の締付け又は、緩め操作だけで自由に取付け、取外しが出来るので、水量調整用絞り穴より大きいゴミが進入してきて、ごみ詰まりになった時、油水分離器内の排水を排水抜出し口１５より抜いて水位を下げ、排水ホース接続クランプ２６を外し、排水入口管８を取外して先端閉止ゴムキャップ２４を脱着すれば掃除が出来る。
【００２３】
図６（イ）の排水入口管８に開けた水量調整用絞り穴を４ｍｍ〜５ｍｍとし、穴数を７個〜１５個の変更する事により排水の流量調整の制度をあげる様にした。
【００２４】
図７（イ）（ロ）（ハ）は仕切り板６の下部切欠き部分の図であるが、前述の傘状斜め板９よりも油分の通過を防ぐ効率の良い構造にするため、切欠き部分の上に上下の片開きになる蓋、上下片開き蓋３０を取付けた。油水分離器を通常使用している時は排水に含まれている残渣及び油分が流水の速さによって縦方向の流れを作り出す、油分は小さな泡状になって切欠き部分を通過しようとするが流速に押された上下片開き蓋３０の蓋は開かず、泡状になった油分の通過を防止する。又、逆に油水分離器内の排水を抜出すときは、内部の水圧に押され上下片開き蓋３０の蓋が開く事により二つに分かれた槽の両方から残渣及び沈殿物の排出を助ける、以上のように排水の送水時に、油分が仕切り板の切欠き部分を通って排水出口管１０への浸入を防止する。又、油水分離器内の排水の抜出しも支障なく行える。
【００２５】
請求項１に記載の油水分離器は密閉型の構造の為、容器内部での状態及び状況確認が不可能である。その為、容器内部へのゴミの浸入、詰まりの他、不足の事態の発生による点検、掃除が必要である、前述の排水入口管８での取外し、掃除だけで済む状況であれば良いが、内部の点検並びに掃除が必要な時、分解掃除が簡易に出来る様な構造にしてある。
以下順序だてて行う。
最初に油水分離器内の排水を、排水抜出し口１５から排水をホース等で抜く。油分を含んでいるので必ず別の容器に受ける。
次に、排水入口管８及び排水出口管１０の接続ホース部のクランプを外し、排水ホースの入口、出口をクランプで接続しておけば、台所シンクは使用出来る。
油水分離器を広い場所に運び本体胴部のクランプ式のバンドを外し、上部本体１を上に持ち上げれば分解でき、内部の点検、掃除を行える。
点検、掃除が終れば順序を逆に行う。復旧後、抜き取った排水を台所シンクから流し、油水分離器に回収する。
唯し、普段に通常使用していてのゴミ詰まり、又は、残渣及び沈殿物の溜りであれば、排水入口管８での取外し掃除、又は、排水抜出し口１５からの残渣及び沈殿物の排出で充分に対応ができる。
【００２６】
油水分離器は密閉型の構造であるため、内部へのカビの心配は必要としないが、油分及び洗剤泡が流れ出る部分、特に外部になる油回収流し台１３は常に汚れやすく洗浄、掃除が必要である事は前述したがカビの発生について考慮する必要があり、カビの発生を防止するためにも油回収流し台１３は、製品の材質を耐食性のあるステンレス又は、プラスチックよりも、抗菌効果のある銅又は、真鍮等の製品で製作、取付けを行うことが望ましいと思える。又、油回収流し台１３の汚れは、油分と洗剤泡の混ざり合った固形物なので、図７（ニ）の掃除専用に製作したプラスチック製の固形物回収ヘラ３１を用いて掃除を行う。
【００２７】
油水分離器内の排水は常に流れているのではなく、台所で水を使用することにより排水が流れるので、水を使う頻度が少なければ排水は流れない。その為、排水及び分離された油分、洗剤泡などは、時間が経つにつれて臭気を発生させるので脱臭剤等で消臭させているが、図８(イ)の様に、油水分離器内部に木炭及び竹炭３２などの活性炭類を仕切り板６、補助仕切り板１４及び排水出口管１０側の槽部分にシリコンシーラント等のような接着剤等で取付け、排水出口管１０を閉塞させる事の無いよう排水の流れを確保しつつ、排水を浄化並びの脱臭させる事により、台所シンクの戸棚内の消臭を行う。又、排水の水質浄化にも働く。
【００２８】
油水分離器内部に取付けた木炭及び竹炭３２などの活性炭類は、細かく槽内にひき詰めると、排水中の不純物並びに洗剤粕等が、当該炭類の平面の表面全体に付着して目詰まりを起こし排水の流れを悪くするので、棒状又は筒状の物を荒く立て、水の流れに多少の抵抗を持たせ、木炭及び竹炭３２の中を通過させる事により、排水の中の不純物並びに洗剤粕等を立てた炭の表面全体に付着させ取り除くと良く。又、油水分離器内の排水の停止時は水質の浄化と脱臭を行う。
【００２９】
木炭及び竹炭３２などの活性炭類の油水分離器槽内の取付け用の接着剤は、油水分離器の点検掃除を行うとき、簡単に取外し、取付けが行えるものが良く、強固に取付けてしまうと取外しの時に当該炭を潰してしまい、再利用が出来なくなる。木炭及び竹炭３２などは、表面に付着した不純物並びに洗剤粕等を洗って、乾燥させれば再び使用できるので利用すべきである。その為、接着剤には比較的安価で簡単に手に入るものが良く、最適かは不明であるが、取付け、取外しが楽と思えるシリコンシーラント等で接着を行う。
【００３０】
水温の下がる秋以降から翌春の水が温かくなる時期の間、水温が下がるごとに分離された油分は、油水分離器の油溜り１１内で、固形化並びに固着されて行く、この状態を防ぐために、図８（ロ）に示す様に油溜り１１及び油排出口１２の回りを市販品の帯状の電熱ヒーター３３を取付け、暖める事によって油分の固形化並びに固着を防止する。近年、特に冬場は、温水器（湯沸かし器）を使用して温水で洗い物を行う所が多いので、油水分離器内の水温が上がった時は、油分の固形化並びに固着等は防げるが、洗い物を終え、排水の流れが止まってしまうと水温は下がるので、油分の固形化並びに固着が進む。これを防止するため、帯状の電熱ヒーター３３にサーモスタットの働きをもたせ、熱源の入り切りを行い、必要な温度の確保をさせる事によって、常に油溜り１１及び油排出口１２付近の温度を常温程度（１５℃〜２２℃）に保てる様にした。
【００３１】
帯状の電熱ヒーター３３による、油水分離器の油溜り１１及び油排出口１２回りを加温するのに伴って、必要な温度の確保と放熱ロスを無くする事、又、気温の急激な変化によって発生する温度変化のため、油水分離機内の水温の低下による凍結などを防ぐのに、発砲スチロール並びにウレタン材、グラスウール材等で、図８（ロ）の様に油水分離器の外部表面全体を保温３４する。又、水回りで使う機器なので、保温材への水のしみ込みや結露を防止するため、保温材の外部表面を塩化ビニール樹脂系の素材のテープ、または皮膜で覆うことによって水分を弾く事で、保温材への水のしみ込み及び結露を防止する。
【００３２】
帯状の電熱ヒーター３３の加温並びに保温３４の効果によって、油水分離器内の水温の低下を防止する事で分離された油分は、油溜り１１及び油排出口１２での固形化並びに固着を無くす事ができ、冬場でも油分の分離、回収は行える。
【００３３】
排水入口管８がゴミ詰まりの時、〔００２１〕及び〔００２２〕の中で述べている様に掃除は行えるが、台所シンクの下の狭い場所での作業が行いがたい面があり、もっと楽な位置から簡単に水抜きをして、排水入口管８の取外しを行える様にした。図８（イ）は、中の水を抜くにも水の比較的きれいな場所で、排水が充分抜き出せる位置を確保し、排水出口管１０に近い本体側面に排水抜取りノズル３５（８Ａ〜１０Ａ）を取出して、排水入口管８を取外す時、漏水しないようにした。
【００３４】
排水入口管８並びに排水出口管１０の取外し、取付け方法について、〔００２１〕及び〔００２２〕の中で述べている様に作業は行えるが、取外しの時はまだしも、取付けの時は狭い場所でしかも暗い所でのセットビス２９取付け作業は難しく、女性並びに子供には難しいと考え、図９（イ）（ロ）（ハ）（ニ）（ホ）（ヘ）（ト）に示す様に構造を改造して女性並びに子供にも簡単に取外し、取付けを行える様にした。特にゴミ詰まりの時などは、排水入口管８の取外しと掃除が簡単に行える事がもっとも大切であり、復旧作業としての排水入口管８の取付けも簡単に行える事が大事である。作業方法としては、まず、取付けから説明すると、排水入口管８を上部本体に取付けた管取付け用ノズル３６に差込み、同ノズル３６に取付けたストッパー３９のストッパー用ビス４０に固定させる様に排水入口管８を軽くひねる様に回し、排水入口管８に取付けた固定金具３７に固定させる。取外しの時は固定金具３７から外す様に回して排水入口管８を引抜けばよろしい。尚、ストッパー３９のストッパー用ビス４０にしたのは、排水入口管８を取付け後、何らかの弾みで排水入口管８が外れる事が有るといけないので、排水入口管８を取付けた後、ストッパー用ビス４０で固定金具３７に軽く締付けておける様にした。又、ストッパー３９のストッパーセットビス４１を緩める事により、固定位置を３６０度方向を変える事が出来るので、排水入口管８並びに排水出口管１０の各ホースの接続は自由に向きを変える事が出来る。
【００３５】
図９（ロ）に示す排水入口管８に開けた水量調整用絞り穴径並びに穴数と、図１０（イ）（ロ）に示すＵ字型水量調整二重管４２の様に構造を変える事による水量調整の精度を上げることが出来て、油水の分離が確実に行えば、多種多様の油水分離が行えると考える、油水分離器本体の大きさも考慮する必要があるが、水圧さえ加えなければ充分対応出来ると考えた。又、Ｕ字型水量調整二重管４２を一体型に変える事により、底面にゴミの堆積を招く危険があるが、傾斜角度を設けていることから、水流に押されてそれ程堆積はしないと考える。尚、一体型のＵ字型水量調整二重管４２は上部本体１に脱着型で取付け、分解掃除の時などには、取外し、取付けを簡単に行え、掃除の際邪魔にならない様に考えた。
【００３６】
図１０（イ）は排水入口管８と排水出口管１０の接続方法を、台所シンクの排水ホースの途中に取付ける考えから、簡単に脱着が出来るサニタリー配管用へルールを選んで使用したが、油水分離器が多種多様な機器、又は容器に取付け、接続が必要と思えるので、従来からある一般配管のパイプニップルにユニオン又は、ネジソケット等による接続方法を用いて行える様にし、サニタリー配管用へルールのみならず、一般配管の接続方法を用いる事で、様々な用途に応じて接続方法を変える事の出来る構造にする事によって、油の分離に役立てられる油水分離器にした。
【発明の効果】
【００３７】
以上の説明で明らかな様に、本発明の油水分離器の効果は確実に油分及び洗剤泡を捕獲、排出を自動的に行なう。水の浄化を助け、環境に優しい製品である。
日々の運転操作がいらず、又、後々のコストが掛からず、しかも、台所シンクの下、通常台所の用品を納めておくだけの場所の、一隅に置くことが出来る製品である。又、油水分離器の廻りにも、色々な付属品を取り付けたが、台所に立つ人にとって、「あれば便利、重宝し気分が良い」と思えるものにした。
【００３８】
いつも流している排水の流れが遅く感じた時に、排水抜出し口１５から残渣物及び沈殿物を取り除けば、再び使えます。それ以上のゴミが詰まったと感じた時、排水抜出し口１５より内部の水を抜き、排水の入口、出口のクランプを外し油水分離器本体のクランプ式バンドを外して掃除をして下さい。唯、この油水分離器は小型、軽量にする為、充分な容積の確保が難しく、一度に大量の排水を流すと油分の処理が困難になります。又、排水中の油分を分離させる時間を確保する為、抵抗を持たせ流れを抑制した構造にしています。したがって台所シンクから流れ出る排水の量は、通常使用する程度の流れに対しての油水分離は充分行えるが、排水の排出量が多くなると悪くなります。人それぞれ水道を使う時、水の流す量が違うように排水の定量判断が出来ないためです。しかし、油水分離が行われていない現在使用されている台所シンクには、洗剤で洗われた油分を含んだ排水を流すことにより、下水のいずれかの部分で固着し、下水を詰まらせる原因にはなります。
この油水分離器を使用する際には、油分を含んだ排水を処理する時は、洗剤を使用する前に、台所シンクに直接流す、もしくは水道水で一度洗い流すなど、容器に付着した油は同様に水道水で軽く洗い流してから洗剤を使用する様にして下さい。
水で流した油分は分離しますが、洗剤に溶けた油の回収は困難になります。油分を流した後の容器の洗浄は、付着した油分並びに汚れを取り除くだけの洗剤でよく、洗剤の量が少量で済むと言う利点もあります。
【００３９】
図６（イ）（ロ）（ハ）（ニ）の排水入口管８、排水出口管１０が共に４５度単位で２７０度、円周方向に角度を変更することが出来る事により、狭い場所をコンパクトに使用する為、有効に利用できる。又、前述している様にゴミ詰まりによる対応も、排水入口管８を取外して点検、掃除が簡単に行える。
【００４０】
図７（イ）（ロ）（ハ）の仕切り板６の切欠き部分へ、泡状になった油分の通過防止を傘上斜め板９から、上下片開き蓋３０に形状を変えることにより、油分の通過防止は充分満足のいく結果が出された。又、微細な浮遊物の通過も無くなり、排水入口管８の水量調節絞り穴４ｍｍ〜５ｍｍを７個〜１５個開けた穴と水量調整二重管２３の効果により、排水の流量調整が充分に満足のいく結果が出て、水の流れを遅滞させることが出来るので、溜め置いた排水をいっきに流し、水圧が掛かるほどの大量の水を流さない限り、油分及び洗剤泡の巻き込みや、押し流されによる排水出口管１０よりの流出を確実に防ぐことが出来る。
【００４１】
油回収流し台１３の汚れは、回収された油分と洗剤泡が混ざり合った固形物で、油回収流し台１３から不要のペットボトルに流れ落ちなかった油分と洗剤泡とが、油回収流し台１３の上に溜り徐々に大きくなり、膨張していくものである。油回収流し台１３に傾斜角度を急勾配に付けて流しても、スジ状に油分の後が残り、徐々に油分と洗剤泡は溜って行くので洗浄、掃除をするより仕方がない。しかし、洗剤分が混入しているため硬くなってはいないので図７（ニ）の掃除用に取付けのやわらかいプラスチック製の固形物回収ヘラ３１で軽く削ぐように取り除ける。又は、油回収流し台１３を取外して湯洗すれば簡単に流れ落ちる。防虫用のビニールカバー２０の取付けを始め、油回収流し台１３の洗浄、掃除及び防カビ対策を行う事により、台所シンク廻りの清潔、清掃は充分に保てると確信している。
【００４２】
図８（イ）の様に、油水分離器内に木炭及び竹炭３２などの活性炭類を入れる事により、内部の排水は浄化が進むと同時に脱臭の効果も現われ、臭いの元としては油排出口１２より出される、油分及び洗剤泡と同時に出て来る排水の臭いが中心となり、外部に配置した脱臭剤で消臭されるので、排水の臭いは解消される。
【００４３】
家庭の台所シンクから流される油は、植物油よりも動物油と言いますか、魚、牛肉、豚肉、鶏肉などの油が多く流されている。一例をあげると、魚の場合、魚焼き器グリル下の受け皿の油、煮魚の汁、牛肉、豚肉の場合、カレー、シチュー、しゃぶしゃぶに肉じゃがなど、又、鶏肉の場合は、煮物に湯引き、インスタントラーメンにカップヌードルの汁などに入り込んでおり、全てはダシ汁、スープなどの液体又は、お湯の中に溶け込んでいるものばかりで温かな内は油が浮いている事が分かる程度です。常温でも固まりやすく、水の温度が下がる事に固形化しやすくなり、油水分離器内で水温が下がれば確実に固形化並びに容器内への固着を起してしまい、図８（ロ）に示す様に、帯状の電熱ヒーター３３及び油水分離器全体に覆った保温３４の効果で水温の低下を防ぐことにより、分離させた油分の回収は行える。又、冬の時期は温水器（湯沸かし器）による温水洗浄を行う家庭が多いので、逆に排水が流されている時は、水温は常温を確保できると考えるので、外気温の急激な変化による、油水分離器内の水の凍結が無ければ油の分離、回収は行える。
【００４４】
台所シンクのゴミ取りネットが外れるか破損した場合、ゴミは確実に油水分離器の排水
入口管８に溜り、排水が流れなくなり機能を失ってしまう。そこで、台所シンクに溜まった水の取り除きと、排水入口管８の取外し掃除が必要になり、より簡単に取外し、復旧が行える事が大切である。台所シンクに溜まった水はゴミ袋などに食器洗いオケ等で受けクランプを外せば水は抜き取れる（ゴミ袋などのビニール袋だけでは、袋が破れて水浸しになる危険が有るのでやめた方が良い）。又、排水入口管８は図８（イ）の排水抜取りノズル３５より油水分離器内の排水を２００ｍｌ〜３００ｍｌ抜出し、図９（イ）（ロ）（ホ）（ヘ）（ト）に示す様に排水入口管８をストッパー用ビス４０から緩め、固定金具３７から外して抜き出せば簡単に掃除が出来る。その際、油水分離器内の排水を充分抜いておくと排水入口管８の取外しの時、漏水させなくてすむ。
【００４５】
油水分離器を利用して油の回収を行う事によって、水または液体を分離処理するだけではなく、その水または液体が再利用する事が出来れば、非常に喜ばしく、嬉しく思える。油水分離器の大きさ、又、油水分離の精度にもよるが、排水入口管８と排水出口管１０の接続方法を変える事と、充分な水量調節を行う事により、油水分離器が多目的に利用できれば幸いである。
【図面の簡単な説明】
【００４６】
【図１】本発明の油水分離器の全体断面図
【図２】油水分離器本体断面図及びクランプ式バンド３図
【図３】仕切り板６及び傘状の斜め板７の取付け図、補助仕切り板１４の取付け図
【図４】油回収流し台１２取付け図、ペットボトル転倒防止金具２１取付け図
【図５】脱臭剤取付け器１８図、排水量調整絞り図
【図６】排水入口管８排水出口管１０のフランジ２７取付け図、パッキン２８形状図
【図７】仕切り板６切欠き部分上下片開き蓋３０取付け図、固形物回収ヘラ３１製作図
【図８】木炭及び竹炭、排水抜取りノズル取付け図、電熱ヒーター、保温取付け図
【図９】排水入口管８、排水出口管１０の固定図、固定金具形状図
【図１０】排水入口管８、排水出口管１０接続部変更図、Ｕ字型水量調整二重管形状図
【図１】
2007307546.tif 000003
【図２】
2007307546.tif 000004
【図３】
2007307546.tif 000005
【図４】
2007307546.tif 000006
【図５】
2007307546.tif 000007
【図６】
2007307546.tif 000008
【図７】
2007307546.tif 000009
【図８】
2007307546.tif 000010
【図９】
2007307546.tif 000011
【図１０】
2007307546.tif 000012